【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
コンピュータに導入された電子マーケットにより、マルチステージコンテストのコンテストエントリの売買のための補助的なマーケットを提供するステップであって、
前記マルチステージコンテストは、複数のステージを有し、
各ステージは、ステージの前には前記マルチステージコンテストに当選するのに適格なコンテストエントリの一部を、当該ステージ後には前記マルチステージコンテストに当選するのに不適格なものにし、
最終ステージ以外では、前記適格性を維持しているエントリは前記マルチステージコンテストの次のステージに進み、
前記マルチステージコンテストは、前記複数のステージの前記最終ステージの後、適格性を維持している前記コンテストエントリのうち少なくとも１の当選コンテストエントリを有する、
ステップと、
前記補助的なマーケットは、前記複数のステージの少なくとも１つの後、適格性を維持しているコンテストエントリの売買を提供するステップと、
からなる方法。
【請求項２】
適格なコンテストエントリのマーケットを提供するステップは、適格なコンテストエントリの電子オークションを提供することを含む、
請求項１に記載の方法。
【請求項３】
前記補助的なマーケットにおいて提供される前記コンテストエントリは、前記コンテストエントリの所有者の、マルチステージコンテストの１以上の側面に参加するための被指名者を指名する権利の対象となる、
請求項１に記載の方法。
【請求項４】
前記電子マーケットはさらに、被指名者とコンテストエントリの所有者との間の、前記マルチステージコンテストの１以上のステージの収益の分配についての合意を記録するよう設計される、
請求項３に記載の方法。
【請求項５】
前記補助的なマーケットにおいて、前記マルチステージコンテストの１以上のステージに参加するための被指名者になる権利を提供するステップをさらに含む、
請求項１に記載の方法。
【請求項６】
前記電子マーケットはさらに、被指名者とコンテストエントリの所有者との間の、前記マルチステージコンテストの１以上のステージの収益の分配についての合意を記録するよう設計される、
請求項５に記載の方法。
【請求項７】
前記マルチステージコンテストのステージは個別の賞金プールを備える、
請求項５に記載の方法。
【請求項８】
前記マルチステージコンテストのステージは個別の賞金プールを備える、
請求項１に記載の方法。
【請求項９】
複数のコンテストエントリのそれぞれを、ある価格でコンテスト参加者に販売するステップと、
前記複数のコンテストエントリを販売することから受け取られる収入に基づき、少なくとも１の当選コンテストエントリに対する賞金を決定するステップと、
をさらに含む請求項１に記載の方法。
【請求項１０】
複数のコンテストエントリのそれぞれをある価格でコンテスト参加者に販売するステップと、
前記コンテストエントリの販売からの収入に基づき、賞金プールを生成するステップと、
前記賞金プールの少なくとも一部に基づき、少なくとも１の当選コンテストエントリに対する賞金を決定するステップと、
をさらに含む請求項１に記載の方法。
【請求項１１】
前記複数のステージのそれぞれにおいて、前記適格なコンテストエントリの一部を前記マルチステージコンテストに当選するのに不適格なものにするステップは、第１タイプの選択プロセスを実行することを含み、
前記複数のステージの後に適格性を維持している１以上のコンテストエントリから少なくとも１の当選コンテストエントリを決定するステップは、前記第１タイプの選択プロセスと異なる第２タイプの選択プロセスを含む、
請求項１に記載の方法。
【請求項１２】
各コンテストエントリは少なくとも１以上の相異なる識別子によって規定され、
前記第１タイプの選択プロセスは、前記コンテストエントリの少なくとも一部を規定する前記識別子の少なくとも１つに関して、前記適格なコンテストエントリの一部を前記マルチステージコンテストに当選するのに不適格なものにする各決定を行うことを含み、
前記第２タイプの選択プロセスは、前記複数のステージ後に適格性を維持している１以上のコンテストエントリに係るコンテスト参加者の間のコンペティションを含む、
請求項１１に記載の方法。
【請求項１３】
前記コンテスト参加者の間のコンペティションは、１以上の物理的又は精神的コンペティションを含む、
請求項１２に記載の方法。
【請求項１４】
前記コンテスト参加者の間のコンペティションは、少なくとも１の当選コンテスト参加者を決定するための投票を含む、
請求項１２に記載の方法。
【請求項１５】
前記コンテスト参加者の間のコンペティションは、公衆に配信され、少なくとも１の当選コンテスト参加者を決定するための前記公衆による投票を含む、
請求項１２に記載の方法。
【請求項１６】
前記コンテスト参加者の間のコンペティションを配信することによりもたらされる収入を含む賞金プールに基づき、少なくとも１の当選コンテストエントリに対する賞金を決定するステップをさらに有する、
請求項１３に記載の方法。
【請求項１７】
前記コンペティションの少なくとも１のコンテスト参加者は、前記複数のステージの後に適格性を維持しているコンテストエントリの所有者に係る被指名者である、
請求項１３に記載の方法。
【請求項１８】
前記被指名者は、前記コンペティションに参加する権利の代価を支払う、
請求項１７に記載の方法。
【請求項１９】
前記被指名者は、前記所有者により獲得された賞金の分け前と引き替えに、前記コンペティションに参加する権利の代価を支払う、
請求項１８に記載の方法。
【請求項２０】
各コンテストエントリが少なくとも１以上の相異なる識別子によって規定され、マルチステージコンテストに当選するのに適格な複数のコンテストエントリを複数のコンテスト参加者に販売するステップであって、
前記マルチステージコンテストの規則は、
前記マルチステージコンテストの複数のステージのそれぞれにおいて、前記コンテストエントリの少なくとも一部を規定する前記識別子の少なくとも１つに関して１以上の決定を行い、当該１以上の決定は、ステージの前には前記マルチステージコンテストに当選するのに適格なコンテストエントリの一部を、当該ステージ後には前記マルチステージコンテストに当選するのに不適格なものにすること、
最終ステージ以外では、前記ステージ後に適格性を維持しているエントリは前記マルチステージコンテストの次のステージに進むこと、
前記マルチステージコンテストは、前記複数のステージの前記最終ステージの後、適格性を維持している前記コンテストエントリのうち少なくとも１の当選コンテストエントリを有すること、を規定する
ステップと、
電子トレーディングシステムにより、前記複数のステージの少なくとも１つの後に適格性を維持しているコンテストエントリを売買するための補助的なマーケットを提供するステップと、
前記複数のコンテストエントリを販売することから受け取られる前記収入に少なくとも基づき、前記少なくとも１の当選コンテストエントリのそれぞれに対する賞金を決定するステップと、
からなる方法。
【請求項２１】
前記複数のステージの後に適格性を維持している１以上のコンテストエントリから少なくとも１の当選コンテストエントリを決定するステップは、前記複数のステージ後に適格性を維持している１以上のコンテストエントリに係るコンテスト参加者の間のコンペティションを提供し、少なくとも１の当選コンテストエントリを決定するステップを含む、
請求項２０に記載の方法。
【請求項２２】
各コンテストエントリの前記相異なる識別子は、１以上の英数字キャラクタを含み、
前記適格なコンテストエントリの一部を、前記マルチステージコンテストに当選するのに不適格なものにする１以上の決定を行うステップは、各ステージにおいて、前記関連する英数字キャラクタに少なくとも基づき、前記適格なコンテストエントリの一部を前記マルチステージコンテストに当選するのに不適格なものにする１以上の決定を行う、
請求項２０に記載の方法。
【請求項２３】
前記コンテスト参加者の間のコンペティションは、１以上の精神的又は物理的コンペティションを含む、
請求項２１に記載の方法。
【請求項２４】
前記コンテスト参加者の間のコンペティションは、少なくとも１の当選コンテスト参加者を決定するための投票を含む、
請求項２１に記載の方法。
【請求項２５】
前記コンテスト参加者の間のコンペティションは、公衆に配信され、少なくとも１の当選コンテスト参加者を決定するための前記公衆による投票を含む、
請求項２１に記載の方法。
【請求項２６】
コンピュータにより読取可能な具体的メモリであって、
当該メモリは、
複数のステージを有するマルチステージコンテストのコンテストエントリの売買のための補助的なマーケットを、コンピュータに提供するよう設計された１以上のプログラムを組み込まれ、
各ステージは、ステージの前には前記マルチステージコンテストに当選するのに適格なコンテストエントリの一部を、当該ステージ後には前記マルチステージコンテストに当選するのに不適格なものにし、
最終ステージ以外では、前記適格性を維持しているエントリは前記マルチステージコンテストの次のステージに進み、
前記マルチステージコンテストは、前記複数のステージの前記最終ステージの後、適格性を維持している前記コンテストエントリのうち少なくとも１の当選コンテストエントリを有し、
前記補助的なマーケットは、前記複数のステージの少なくとも１つの後、適格性を維持しているコンテストエントリの売買を提供する、
メモリ。
【請求項２７】
プロセッサはさらに、前記複数のステージの少なくとも１つの後に適格性を維持しているコンテストエントリを売買するためのマーケットをサポートするよう動作可能である、
請求項２６に記載のコンピュータにより読取可能な具体的メモリ。
【請求項２８】
前記補助的なマーケットにおいて提供される前記コンテストエントリは、前記コンテストエントリの所有者の、マルチステージコンテストの１以上の側面に参加するための被指名者を指名する権利の対象となる、
請求項２６に記載のコンピュータにより読取可能な具体的メモリ。
【請求項２９】
電子マーケットはさらに、被指名者とコンテストエントリの所有者との間の、前記マルチステージコンテストの１以上のステージの収益の分配についての合意を記録するよう設計される、
請求項２８に記載のコンピュータにより読取可能な具体的メモリ。
【請求項３０】
前記適格なコンテストエントリの一部を、前記複数のステージのそれぞれにおいて前記マルチステージコンテストに当選するのに不適格なものにすることは、各ステージにおいて、前記コンテストエントリの少なくとも一部を規定する前記識別子の少なくとも１つに関して１以上の決定を行うことを含み、前記１以上の決定は、前記適格なコンテストエントリの一部を前記マルチステージコンテストに当選するのに不適格なものにする、
請求項２６に記載のコンピュータにより読取可能な具体的メモリ。
【請求項３１】
前記補助的なマーケットにおいて、前記マルチステージコンテストの１以上のステージに参加するための被指名者になる権利を提供することをさらにプログラムされた、
請求項２６に記載のコンピュータにより読取可能な具体的メモリ。